(57)【要約】【課題】  この発明は、加工が容易で量産性の向上を図ることができ、また湯と水との双方を同時に取出すことができるうえ、湯および水の供給方向の変更が可能な湯水混合栓用分岐水栓の提供を目的とする。【解決手段】  水、湯および湯水の流通孔１５を独立して軸方向に貫通形成した本体１１を備えてなる湯水混合栓用分岐水栓１０であって、本体１１の外周にハブ１２を回転自在に外嵌し、ハブ１２外周にはハブリング２９を固定し、本体１１の外周に２つの輪溝１８，１９を離間形成し、一方の輪溝１８を横孔を介して水流通孔に連通させると共に、他方の輪溝１９を横孔を介して湯流通孔に連通させ、一方の輪溝１８と対向してハブ１２に形成された開口部２７からハブリング２９の水出口３０に水を取出し、他方の輪溝１９と対向してハブ１２に形成された開口部２８からハブリング２９の湯出口３１に湯を取出すように構成したことを特徴とする。【選択図】  図３
2006077452.tif 000002
【特許請求の範囲】
【請求項１】
水、湯および湯水の流通孔を独立して軸方向に貫通形成した分岐栓本体を備えてなる湯水混合栓用分岐水栓であって、
上記分岐栓本体の外周にハブを回転自在に外嵌し、
ハブ外周にはハブリングを固定し、
上記分岐栓本体の外周に２つの輪溝を離間形成し、一方の輪溝を横孔を介して水流通孔に連通させると共に、他方の輪溝を横孔を介して湯流通孔に連通させ、
一方の輪溝と対向してハブに形成された開口部からハブリングの水出口に水を取り出し、
他方の輪溝と対向してハブに形成された開口部からハブリングの湯出口に湯を取出すように構成した
湯水混合栓用分岐水栓。
【請求項２】
水、湯および湯水の流通孔を独立して軸方向に貫通形成した分岐栓本体を備えてなる湯水混合栓用分岐水栓であって、
上記分岐栓本体の外周にハブを回転自在に外嵌し、
ハブ内周には２つの輪溝を離間形成し、一方の輪溝を横孔を介して分岐栓本体の
水流通孔に連通させると共に、他方の輪溝を横孔を介して分岐栓本体の湯流通孔に連通させ、
一方の輪溝にオフセット形成した連通部からハブの水出口に水を取出し、
他方の輪溝にオフセット形成した連通部からハブの湯出口に湯を取出すように構成した
湯水混合栓用分岐水栓。
【請求項３】
水、湯および湯水の流通孔を独立して軸方向に貫通形成した分岐栓本体を備えてなる湯水混合栓用分岐水栓であって、
上記分岐栓本体の外周にハブを回転自在に外嵌し、
分岐栓本体の外周とハブ内周との少なくとも何れか一方に２つの輪溝を離間形成し、
一方の輪溝を横孔を介して分岐栓本体の水流通孔に連通させると共に、他方の輪溝を横孔を介して分岐栓本体の湯流通孔に連通させ、
一方の輪溝と対向するハブの水出口から水を取出し、
他方の輪溝と対向するハブの湯出口から湯を取出すように構成した
湯水混合栓用分岐水栓。
【請求項４】
水、湯および湯水の流通孔を独立して軸方向に貫通形成した分岐栓本体を備えてなる湯水混合栓用分岐水栓であって、
上記分岐栓本体の外周にハブを回転自在に外嵌し、
上記分岐栓本体の外周に２つの輪溝を離間形成し、一方の輪溝を横孔を介して水流通孔に連通させると共に、他方の輪溝を横孔を介して湯流通孔に連通させ、
一方の輪溝と対向するようにハブ外周にはハブリングを回転自在に外嵌し、
一方の輪溝に連通するハブの開口部と、ハブリングの水出口と、これら両者間に形成された環状溝とを介して水を取出し、
他方の輪溝と連通するハブの開口部から湯を取出すように構成した
湯水混合栓用分岐水栓。
【請求項５】
水、湯および湯水の流通孔を独立して軸方向に貫通形成した分岐栓本体を備えてなる湯水混合栓用分岐水栓であって、
上記分岐栓本体の外周にハブを回転自在に外嵌し、上記分岐栓本体の外周に２つの輪溝を離間形成し、一方の輪溝を横孔を介して水流通孔に連通させると共に、他方の輪溝を横孔を介して湯流通孔に連通させ、一方の輪溝および他方の輪溝とそれぞれ別々に対向するようハブ外周には２つのハブリングを回転自在に外嵌し、
一方の輪溝に連通するハブの開口部と、ハブリングの水出口と、これら両者間に形成された環状溝とを介して水を取出し、
他方の輪溝に連通するハブの開口部と、ハブリングの湯出口と、これら両者間に形成された環状溝とを介して湯を取出すように構成した
湯水混合栓用分岐水栓。
【発明の詳細な説明】
【技術分野】
【０００１】
この発明は、横向きの分岐口を有するシングルレバー式の湯水混合栓用分岐水栓に関する。
【背景技術】
【０００２】
従来、上述例の分岐水栓は、横向きの分岐口を１つのみ備えたものが大半であって、水または湯の何れか一方のみしか供給できないため、例えば食器洗い機に対して分岐水栓の分岐口から湯を供給した場合には、浄水器に対しては、この分岐水栓から水を供給することが不可能となる。
【０００３】
このような問題点を解決するために、特許文献１、特許文献２に記載の分岐水栓が既に発明されている。  
すなわち、これらの何れの分岐水栓も、分岐栓本体の水流通孔と連通する水側の分岐口と、分岐栓本体の湯流通孔と連通する湯側の分岐口とを１８０度の開角を有して備えたものであり、この構造によれば、食器洗い機や浄水器に対して湯および水を同時に分岐供給することができる利点がある。
【０００４】
しかしながら、この従来構造においては、水側の分岐口と湯側の分岐口との位置が固定されている関係上、食器洗い機や浄水器の設置場所が制約を受け、レイアウトの自由度が阻害される問題点があった。仮に湯を必要とする食器洗い機を水側の分岐口に対応させ、水を必要とする浄水器を湯側の分岐口に対応させた場合、つまり外部機器を逆レイアウトに設置した際には、湯側の分岐口から食器洗い機に接続するホースと、水側の分岐口から浄水器に接続するホースとが交差して、ホースの取り回しが悪化し、見栄えも劣化する問題点があった。
【０００５】
そこで、分岐水栓の水側の分岐口と湯側の分岐口とに対して反対の側に水使用機器を設置する場合には特許文献３に開示された分岐継手を用いるとよいが、継手構造が複雑化する問題点があった。
【０００６】
このような問題点を解決し、水側の分岐口と湯側の分岐口とが分岐栓本体外周に対して３６０度回転可能となる分岐水栓を本出願人は既に発明した。  
すなわち、水、湯および湯水の流通孔を独立して軸方向に貫通形成した分岐栓本体を備えてなる湯水混合栓用分岐水栓において、上述の分岐栓本体の外周に２つの輪溝を離間形成し、一方の輪溝を横孔を介して水流通孔に連通させると共に、
他方の輪溝を横孔を介して湯流通孔に連通させ、また上述の分岐栓本体の外周には上部ハブと下部ハブとを回転自在に外嵌し、上部ハブの水出口と一方の輪溝とを該上部ハブに形成した横で連通し、上部ハブの湯出口と他方の輪溝とは、分岐栓本体外周に外嵌した上下の各ハブを組付けた時に形成される断面Ｌ字状の通路を介して連通すべく構成したものである（特許文献４参照）。
【０００７】
この従来構造によれば、水側の分岐口（上部ハブの水出口参照）と湯側の分岐口（上部ハブの湯出口参照）とを３６０度回転自在に構成したので、外部に設置される水使用機器に対するレイアウトの自由度が向上し、しかも、水と湯とを同時に分岐供給することができる利点がある反面、上部ハブ外周から下方に延びるスカート部と、下部ハブ外周から上方に延びるフランジ部との間をＯリングでシールする必要があることは勿論、径方向外方に位置するスカート部と、このスカート部の内周側に位置するフランジ部とがオーバラップする構造であるから分岐水栓それ自体が大型化し、また、上述の断面Ｌ字状の通路を形成する必要があるため、加工が煩雑となって、量産に適さない問題点があった。
【特許文献１】特開２００２−８８８３３号公報
【特許文献２】実用新案登録第３０５７５３９号
【特許文献３】特開２００４−９２２４６号公報
【特許文献４】特開２００３−４２３１６号公報
【発明の開示】
【発明が解決しようとする課題】
【０００８】
そこで、この発明は、加工が容易で量産性の向上を図ることができ、また湯と水との双方を同時に取出すことができるうえ、湯および水の供給方向の変更が可能な湯水混合栓用分岐水栓の提供を目的とする。
【課題を解決するための手段】
【０００９】
この発明による湯水混合栓用分岐水栓は、水、湯および湯水の流通孔を独立して軸方向に貫通形成した分岐栓本体を備えてなる湯水混合栓用分岐水栓であって、
上記分岐栓本体の外周にハブを回転自在に外嵌し、ハブ外周にはハブリングを固定し、上記分岐栓本体の外周に２つの輪溝を離間形成し、一方の輪溝を横孔を介して水流通孔に連通させると共に、他方の輪溝を横孔を介して湯流通孔に連通させ、一方の輪溝と対向してハブに形成された開口部からハブリングの水出口に水を取り出し、他方の輪溝と対向してハブに形成された開口部からハブリングの湯出口に湯を取出すように構成したものである。
【００１０】
上記構成によれば、水流通孔、横孔、一方の輪溝、ハブの開口部を介してハブリングの水出口に水を取出すことができ、また湯流通孔、横孔、他方の輪溝、ハブの開口部を介してハブリングの湯出口に湯を取出すことができる。つまり、湯と水との双方を同時に取出すことができる。
【００１１】
さらにハブの各開口部はハブを約３６０度回転操作しても対応する輪溝を介して水流通孔および湯流通孔に格別に連通しているので、湯および水の供給方向の変更が可能となり、水使用機器のレイアウトの自由度が向上する。
【００１２】
また従来のようなハブのオーバラップ構造が不要となり、加工が容易で量産性の向上を図ることができる。  
この発明による湯水混合栓用分岐水栓は、また、水、湯および湯水の流通孔を独立して軸方向に貫通形成した分岐栓本体を備えてなる湯水混合栓用分岐水栓であって、上記分岐栓本体の外周にハブを回転自在に外嵌し、ハブ内周には２つの輪溝を離間形成し、一方の輪溝を横孔を介して分岐栓本体の水流通孔に連通させると共に、他方の輪溝を横孔を介して分岐栓本体の湯流通孔に連通させ、一方の輪溝にオフセット形成した連通部からハブの水出口に水を取出し、他方の輪溝にオフセット形成した連通部からハブの湯出口に湯を取出すように構成したものである。
【００１３】
上記構成によれば、水流通孔、横孔、ハブ内周の一方の輪溝、連通部を介してハブの水出口に水を取出すことができ、また湯流通孔、横孔、ハブ内周の他方の輪溝、連通部を介してハブの湯出口に湯を取出すことができる。つまり、湯と水との双方を同時に取出すことができる。
【００１４】
さらにハブを約３６０度回転操作しても湯側の連通部、輪溝は横孔を介して湯流通孔と連通し、水側の連通部、輪溝は横孔を介して水流通孔と連通しているので、湯および水の供給方向の変更が可能となり、水使用機器のレイアウトの自由度が向上する。
【００１５】
また従来のようなハブのオーバラップ構造が不要となり、加工が容易で量産性の向上を図ることができる。  
この発明による湯水混合栓用分岐水栓は、さらに、水、湯および湯水の流通孔を独立して軸方向に貫通形成した分岐栓本体を備えてなる湯水混合栓用分岐水栓であって、上記分岐栓本体の外周にハブを回転自在に外嵌し、分岐栓本体の外周とハブ内周との少なくとも何れか一方に２つの輪溝を離間形成し、一方の輪溝を横孔を介して分岐栓本体の水流通孔に連通させると共に、他方の輪溝を横孔を介して分岐栓本体の湯流通孔に連通させ、一方の輪溝と対向するハブの水出口から水を取出し、他方の輪溝と対向するハブの湯出口から湯を取出すように構成した
ものである。
【００１６】
上記構成によれば、水流通孔、横孔、輪溝を介してハブの水出口から水を取出すことができ、また湯流通孔、横孔、輪溝を介してハブの湯出口から湯を取出すことができる。つまり、湯と水との双方を同時に取出すことができる。
【００１７】
さらにハブを約３６０度回転操作してもハブの水出口は輪溝、横孔を介して水流通孔と連通し、ハブの湯出口は輪溝、横孔を介して湯流通孔と連通しているので、湯および水の供給方向の変更が可能となり、水使用機器のレイアウトの自由度が向上する。
【００１８】
また従来のようなハブのオーバラップ構造が不要となり、加工が容易で量産性の向上を図ることができる。  
この発明による湯水混合栓用分岐水栓は、また、水、湯および湯水の流通孔を独立して軸方向に貫通形成した分岐栓本体を備えてなる湯水混合栓用分岐水栓であって、上記分岐栓本体の外周にハブを回転自在に外嵌し、上記分岐栓本体の外周に２つの輪溝を離間形成し、一方の輪溝を横孔を介して水流通孔に連通させると共に、他方の輪溝を横孔を介して湯流通孔に連通させ、一方の輪溝と対向するようにハブ外周にはハブリングを回転自在に外嵌し、一方の輪溝に連通するハブの開口部と、ハブリングの水出口と、これら両者間に形成された環状溝とを介して水を取出し、他方の輪溝と連通するハブの開口部から湯を取出すように構成したものである。
【００１９】
上記構成によれば、水流通孔、横孔、一方の輪溝、ハブの開口部、環状溝を介してハブリングの水出口から水を取出すことができ、また湯流通孔、横孔、他方の輪溝を介してハブの開口部から湯を取出すことができる。つまり、湯と水との双方を同時に取出すことができる。
【００２０】
さらにハブリングはハブの外周に対して回転自在であり、ハブは分岐栓本体外周に対して回転自在であるうえ、これらハブリングおよびハブを相対回転させても湯側の連通構造および水側の連通構造を維持することができるので、湯および水の供給方向の変更、並びに、これら両者の相対的な供給角度の変更が可能となり、水使用機器のレイアウトの自由度がさらに向上する。
【００２１】
また、従来のようなハブのオーバラップ構造が不要となり、加工が容易で量産性の向上を図ることができる。  
この発明による湯水混合栓用分岐水栓は、さらに、水、湯および湯水の流通孔を独立して軸方向に貫通形成した分岐栓本体を備えてなる湯水混合栓用分岐水栓であって、上記分岐栓本体の外周にハブを回転自在に外嵌し、上記分岐栓本体の外周に２つの輪溝を離間形成し、一方の輪溝を横孔を介して水流通孔に連通させると共に、他方の輪溝を横孔を介して湯流通孔に連通させ、一方の輪溝および他方の輪溝とそれぞれ別々に対向するようハブ外周には２つのハブリングを回転自在に外嵌し、一方の輪溝に連通するハブの開口部と、ハブリングの水出口と、これら両者間に形成された環状溝とを介して水を取出し、他方の輪溝に連通するハブの開口部と、ハブリングの湯出口と、これら両者間に形成された環状溝とを介して湯を取出すように構成したものである。
【００２２】
上記構成によれば、水流通孔、横孔、一方の輪溝、ハブの開口部、環状溝を介してハブリングの水出口から水を取出すことができ、また湯流通孔、横孔、他方の輪溝、ハブの開口部、環状溝を介してハブリングの湯出口から湯を取出すことができる。
【００２３】
さらに２つのハブリングを備え、これらの各ハブリングをそれぞれ別々に約３６０度の範囲で任意に回転操作することができ、この回転時にあっても湯側の連通構造および水側の連通構造を維持することができるので、湯および水の供給方向の変更、並びに、これら両者の相対的な供給角度の変更が自在となり、水使用機器のレイアウトの自由度がより一層向上する。  
また、従来のようなハブのオーバラップ構造が不要となり、加工が容易で量産性の向上を図ることができる。
【発明の効果】
【００２４】
この発明によれば、加工が容易で量生産の向上を図ることができ、また湯と水との双方を同時に取出すことができるうえ、湯および水の供給方向の変更が可能となる効果がある。
【発明を実施するための最良の形態】
【００２５】
この発明の一実施例を以下図面に基づいて詳述する。  
図面は湯水混合栓用分岐水栓を示し、図１に実線で示すこの分岐水栓１０は同図に仮想線で示す混合栓本体１の立上り部１ａと、カートリッジ２との間に介設されるものである。上述のカートリッジ２はその上部に作動部３を有すると共に、このカートリッジ２はカバーナット４により分岐水栓１０の上部に締付け固定される。
【００２６】
また、カートリッジ２上部の作動部３は操作レバー５（いわゆるレバーハンドル）にて操作されるように構成する一方、混合栓本体１の立上り部１ａの外周にはスパウト６の基部６ａが回動自在に装着されている。
【００２７】
ここで、上述の混合栓本体１は水道管に連通する水道水通路と、ボイラ等に連通する熱湯通路とを有し、水または熱湯は図１に矢印ａで示すように分岐水栓１０（詳しくは後述する水道水流入孔１３または熱湯流入孔１４参照）を介して上方へ流動し、操作レバー５にてカートリッジ２上部の作動部３を操作した時に、水道水をそのまま、または熱湯をそのまま、あるいは水道水と熱湯とを混合した温調流体を流出液体（混合流体）として図１に矢印ｂで示すように一旦、混合栓本体１の立上り部１ａ内に流下させた後に、矢印ｃで示すようにスパウト６から供給し得るように構成している。
【００２８】
図２は分岐水栓１０の平面図、図３は図２のＡ−Ａ線矢視断面図、図４は図２のＢ−Ｂ線に沿う分岐栓本体の断面図である。  
上述の分岐水栓１０は分岐栓本体（以下単に本体と略記する）１１と、この本体１１の外周に回転自在に外嵌した環状のハブ１２とを備えている。
【００２９】
上述の本体１１には、図４に示すように、水道水流入孔（以下単に水流入孔と略記する）１３と、熱湯流入孔（以下単に湯流入孔と略記する）１４と、湯水流出孔１５とが独立して軸方向に貫通形成されている。
【００３０】
また図３に示すように、上述の本体１１の上部にはカートリッジ２を位置決めするためのピン孔１６を形成する一方、このピン孔１６と対向するように本体１１の下部にはノックピン１７を設け、このノックピン１７により本体１１を混合栓本体１の立上り部１ａに位置決めするように構成している。
【００３１】
さらに上述の本体１１の外周には２つの輪溝１８,１９を上下に離間形成し、上側の輪溝１８を横孔２０を介して水流入孔１３に連通させると共に、下側の輪溝１９を横孔２１を介して湯流入孔１４に連通させている。
【００３２】
上述のハブ１２は本体１１の外周部においてその軸方向全長を回転自在に囲繞するもので、この上下非分割構造のハブ１２の上部外周には、カバーナット４を取付けるためのネジ部２２を形成し、ハブ１２の下部には取付けリング２３を介してナット２４を回転自在に設けて、このナット２４で本体１１を混合栓本体１の立上り部１ａに固定するように構成している。
【００３３】
また、図３、図５に示すように上述のハブ１２の所定部にはその外周をフラットになるように加工した一対の凹部２５，２６を形成し、一側の凹部２５には上側の輪溝１８と対向するように開口部２７を形成し、他側の凹部２６には下側の輪溝１９と対向するように開口部２８を形成している。
【００３４】
上述のハブ１２の上下方向中間部外周には上述の凹部２５，２６を囲繞するように円環状のハブリング２９をロー付け固定している。  
このハブリング２９の一側の凹部２５と対応する部分には水出口３０を開口形成し、他側の凹部２６と対応する部分には湯出口３１を開口形成している。
【００３５】
また上述の水出口３０と連続するようにハブリング２９にはネジ孔３２を形成し、このネジ孔３２に螺合したブッシュ３３を介してジョイントとしての袋ナット３４を回転自在に取付けている。
【００３６】
同様に、上述の湯出口３１と連続するようにハブリング２９にはネジ孔３５を形成し、このネジ孔３５に螺合したブッシュ３６を介してジョイントとしての袋ナット３７を回転自在に取付けている。
【００３７】
なお、輪溝１８，１９の上下両側において本体１１外周と、ハブ１２内周との間はＯリング溝に嵌着したＯリング３８にてシールすべく構成する一方、水流入孔１３、湯流入孔１４、湯水流出孔１５の下部に設けた溝部にはシール部材としてのパッキング３９…をそれぞれ取付けている。
【００３８】
このように構成した湯水混合栓用分岐水栓において、本体１１の水流入孔１３に流入した水は、横孔２０、輪溝１８、ハブ１２の開口部２７、凹部２５、ハブリング２９の水出口３０を介して取出され、本体１１の湯流入孔１４に流入した湯は、横孔２１、輪溝１９、ハブ１２の開口部２８、凹部２６、ハブリング２９の湯出口３１を介して取出される。
【００３９】
このように図１〜図５で示した実施例の湯水混合栓用分岐水栓１０は、水、湯および湯水の流通孔１３，１４，１５を独立して軸方向に貫通形成した本体１１を備えてなる湯水混合栓用分岐水栓１０であって、上記本体１１の外周にハブ１２を回転自在に外嵌し、ハブ１２外周にはハブリング２９を固定し、上記本体１１の外周に２つの輪溝１８，１９を離間形成し、一方の輪溝１８を横孔２０を介して水流入孔１３に連通させると共に、他方の輪溝１９を横孔２１を介して湯流入孔１４に連通させ、一方の輪溝１８と対向してハブ１２に形成された開口部２７からハブリング２９の水出口３０に水を取り出し、他方の輪溝１９と対向してハブ１２に形成された開口部２８からハブリング２９の湯出口３１に湯を取出すように構成したものである。
【００４０】
この構成によれば、水流入孔１３、横孔２０、一方の輪溝１８、ハブ１２の開口部２７を介してハブリング２９の水出口３０に水を取出すことができ、また湯流入孔１４、横孔２１、他方の輪溝１９、ハブ１２の開口部２８を介してハブリング２９の湯出口３１に湯を取出すことができる。つまり、湯と水との双方を同時に取出すことができる。
【００４１】
さらにハブ１２の各開口部２７，２８はハブ１２を約３６０度回転操作しても対応する輪溝１８，１９を介して水流入孔１３および湯流入孔１４に格別に連通しているので、湯および水の供給方向の変更が可能となり、食器洗い機や浄水器などの水使用器のレイアウトの自由度が向上する。
【００４２】
また従来のようなハブのオーバラップ構造が不要となり、加工が容易で量産性の向上を図ることができると共に、分岐水栓１０の外径の縮小化等、該分岐水栓１０の小型コンパクト化も可能となる。なお、分岐水栓１０を混合栓本体１に完全固定すると共に、分岐水栓１０にカバーナット４を完全締結した所謂組付け完了時においては、湯および水の供給方向は予め任意に設定した向きに固定される。この先については以下に述べるその他の実施例についても同様である。
【００４３】
図６、図７は湯水混合栓用分岐水栓の他の実施例を示し、図３の実施例においてはハブ１２の外周に円環状のハブリング２９を固定したが、図６、図７に示すこの実施例においてはハブ１２の外周部に一対の穴状の凹部２５，２６を形成し、これらの各凹部２５，２６に突起形状のアタッチメント２９Ａ，２９Ｂをそれぞれロー付け固定し、水側のアタッチメント２９Ａには水出口３０とネジ孔３２とを形成し、湯側のアタッチメント２９Ｂには湯出口３１とネジ孔３５とを形成したものである。
【００４４】
図３の実施例においてはハブ１２とハブリング２９との接合部をその全周にわたってロー付けする必要があるが、図６、図７の実施例においては凹部２５，２６の外端部と２つのアタッチメント２９Ａ，２９Ｂ周囲とをロー付けするとよく、ロー付け範囲の縮小化が達成できるので、ロー付け時の熱影響による変形を抑制することができる。
【００４５】
この図６、図７で示した実施例においても、その他の構成、作用、効果については図１〜図５で示した先の実施例と同様であるから、図６、図７において前図と同一の部分には同一符号を付して、その詳しい説明を省略する。
【００４６】
図８、図９、図１０は湯水混合分岐水栓のさらに他の実施例を示すものである。  
この実施例においては図１０に示すように本体１１に対して湯流入孔１４と連通する湯側の横孔２１を上部に形成し、小流入孔１３と連通する水側の横孔２０を下部に形成している。
【００４７】
また図９に示すように本体１１の外周部においてその軸方向のほぼ全長を回転自在に囲繞するリング状のハブ１２を設け、この非分割構造のハブ１２の内周には２つの輪溝４０，４１を上下に離間形成している。なお、この輪溝４０，４１と一致する位置において本体１１側においても輪溝を形成してもよい。
【００４８】
そして、下側の輪溝４１を上述の横孔２０を介して本体１１の水流入孔１３に連通させると共に、上側の輪溝４０を上述の横孔２１を介して本体１１の湯流入孔１４に連通させている。
【００４９】
またハブ１２の２箇所にはネジ孔３２，３５をそれぞれ形成すると共に、一方のネジ孔３２を利用して下側の輪溝４１と水出口３０とを連通する連通部４２を形成している。この連通部４２の中心は下側の輪溝４１の上下方向の中心に対して上方にオフセットするように形成されている。
【００５０】
同様に、他方のネジ孔３５を利用して上側の輪溝４０と湯出口３１とを連通する連通部４３を形成している。この連通部４３の中心は上側の輪溝４０の上下方向の中心に対して下方にオフセットするように形成されている。ここで、上述の各連通部４２，４３は、先端角を１８０度に成したドリルなどの切削工具にて径方向外方から穴あけ加工することができる。
【００５１】
要するに、本体１１の水流入孔１３は横孔２０、輪溝４１、連通部４２を介して水出口３０に連通し、本体１１の湯流入孔１４は横孔２１、輪溝４０、連通部４３を介して湯出口３１に連通するものである。
【００５２】
また、この実施例おいては本体１１の上部に一端が開放した構造のピン孔１６Ａを形成している。なお、図８〜図１０において前図と同一の部分には同一符号を付して、その詳しい説明を省略している。
【００５３】
このように、図８〜図１０で示した実施例の湯水混合栓用分岐水栓１０は、水、湯および湯水の流通孔１３，１４，１５が独立して軸方向に貫通形成した本体１１を備えてなる湯水混合栓用分岐水栓１０であって、上記本体１１の外周にハブ１２を回転自在に外嵌し、ハブ１２内周には２つの輪溝４０，４１を離間形成し、一方の輪溝４１を横孔２０を介して本体１１の水流入孔１３に連通させると共に、他方の輪溝４０を横孔２１を介して本体１１の湯流入孔１４に連通させ、一方の輪溝４１にオフセット形成した連通部４２からハブ１２の水出口３０に水を取出し、他方の輪溝４０にオフセット形成した連通部４３からハブ１２の湯出口３１に湯を取出すように構成したものである。
【００５４】
この構成によれば、水流入孔１３、横孔２０、ハブ１２内周の一方の輪溝４１、連通部４２を介してハブ１２の水出口に水を取出すことができ、また湯流入孔１４、横孔２１、ハブ１２内周の他方の輪溝４０、連通部４３を介してハブ１２の湯出口３１に湯を取出すことができる。つまり、湯と水との双方を同時に取出すことができる。
【００５５】
さらにハブ１２を約３６０度回転操作しても湯側の連通部４３、輪溝４０は横孔２１を介して湯流入孔１４と連通し、水側の連通部４２、輪溝４１は横孔２０を介して水流入孔１３と連通しているので、湯および水の供給方向の変更が可能となり、食器洗い機や浄水器などの水使用機器のレイアウトの自由度が向上する。
【００５６】
また従来のようなハブのオーバラップ構造が不要となり、加工が容易で量産性の向上を図ることができると共に、分岐水栓１０の外径の縮小化など該分岐水栓１０の小型コンパクト化も可能となる。加えて、先の各実施例のようにロー付けを必要としないので、ロー付け時の熱影響による変形を阻止することができる。
【００５７】
図１１、図１２、図１３は湯水混合栓分岐水栓のさらに他の実施例を示すものである。
【００５８】
図１〜図１０で示した先の各実施例にあっては袋ナット３４，３７を同一高さ位置に配設したが、図１１〜図１３で示すこの実施例においては袋ナット３４，３７を輪溝と対向させて上下にオフセット配設して、構造の簡略化を図るものである。
【００５９】
すなわち、本体１１の外周部においてその軸方向の全長を回転自在に囲繞するハブ１２を設け、この上下非分割構造のハブ１２の内周には本体１１側の上下の輪溝１８，１９と一致するように上下の輪溝４４，４５を離間形成している。
【００６０】
また、上述のハブ１２において上側の輪溝１８，４４と対向する位置に水出口３０を形成し、下側の輪溝１９，４５と対向する位置に湯出口３１を形成すると共に、水出口３０および湯出口３１とそれぞれ別々に連続するネジ孔３２，３５を形成し、これらのネジ孔３２，３５にはブッシュ３３，３６を介して袋ナット３４，３７を回転自在に取付けている。
【００６１】
つまり、水流入孔１３は横孔２０、輪溝１８，４４を介して水出口３０に連通し、湯流入孔１４は横孔２１、輪溝１９，４５を介して湯出口３１に連通するように構成したものである。なお、図１１〜図１３において前図と同一の部分には同一符号を付して、その詳しい説明を省略するが、図１１〜図１３に示すこの実施例においてはハブ１２の下部外周とナット２４の内周とをシールすべく、ハブ１２の下部に形成されたＯリング溝にはシール部材としてのＯリング４６を嵌着している。
【００６２】
このように、図１１〜図１３で示した実施例の湯水混合栓用分岐水栓１０は、水、湯および湯水の流通孔１３，１４，１５を独立して軸方向に貫通形成した本体１１を備えてなる湯水混合栓用分岐水栓１０であって、上記本体１１の外周にハブ１２を回転自在に外嵌し、本体１１の外周とハブ１２内周との少なくとも何れか一方に２つの輪溝（図示実施例では双方に形成された一方の輪溝１８，４４と他方の輪溝１９，４５）を離間形成し、一方の輪溝１８，４４を横孔２０を介して本体１１の水流入孔１３に連通させると共に、他方の輪溝１９，４５を横孔２１を介して本体１１の湯流入孔１４に連通させ、一方の輪溝１８，４４と対向するハブ１２の水出口３０から水を取出し、他方の輪溝１９，４５と対向するハブ１２の湯出口３１から湯を取出すように構成したものである。
【００６３】
この構成によれば、水流入孔１３、横孔２０、輪溝１８，４４を介してハブ１２の水出口３０から水を取出すことができ、また湯流入孔１４、横孔２１、輪溝１９，４５を介してハブ１２の湯出口３１から湯を取出すことができる。つまり、湯と水との双方を同時に取出すことができる。
【００６４】
さらにハブ１２を約３６０度回転操作してもハブ１２の水出口３０は輪溝４４，１８、横孔２０を介して水流入孔１３と連通し、ハブ１２の湯出口３１は輪溝４５，１９、横孔２１を介して湯流入孔１４と連通しているので、湯および水の供給方向の変更が可能となり、食器洗い機や浄水器などの水使用機器のレイアウトの自由度が向上する。
【００６５】
また従来のようなハブのオーバラップ構造が不要となり、加工が容易で量産性の向上を図ることができると共に、分岐水栓１０の外径の縮小化など該分岐水栓１０の小型コンパクト化も可能となる。加えて、ロー付けも不要となるので、ロー付け時の熱影響による変形を阻止することができる。
【００６６】
なお、図１１〜図１３においては輪溝１８，１９，４４，４５を本体１１側とハブ１２側との双方に形成したが、この輪溝は本体１１側にのみ形成してもよく、またはハブ１２側にのみ形成してもよい。
【００６７】
図１４、図１５、図１６は湯水混合栓用分岐水栓のさらに他の実施例を示すものである。  
図１〜図１３で示した先の各実施例においては、本体１１の軸芯線に対して一対の袋ナット３４，３７が１８０度の開角を保った状態でハブ１２を回転させ、水および湯の供給方向を任意に可変すべく構成したが、図１４〜図１６に示すこの実施例においては水供給方向と湯供給方向とをそれぞれ別々の任意の方向に設定することができるように成したものである。
【００６８】
すなわち、本体１１の外周部においてその軸方向のほぼ全長を回転自在に囲繞するハブ１２を設けている。この非分割構造のハブ１２は本体１１側の輪溝１８と対向して肉厚が相対的に薄い上部と、本体１１側の輪溝１９と対向して肉厚が相対的に厚い下部とを一体形成したもので、ハブ１２の下部には下側の輪溝１９と連通する開口部としての湯出口３１を形成し、この湯出口３１に連続するネジ孔３５にはブッシュ３６を介して袋ナット３７を回転自在に取付けている。
【００６９】
ハブ１２の上部外周にはハブリング４７を回転自在に外嵌し、上記ハブ１２の上部には本体１１側の輪溝１８と上下方向の同一位置に環状溝４８を形成し、ハブ１２側の環状溝４８と本体１１側の輪溝１８とを開口部４９で連通させている。
【００７０】
また上述のハブリング４７には環状溝４８に連通する水出口３０を開口形成し、この水出口３０に連続するネジ孔５０にはブッシュ３３を介して袋ナット３４を回転自在に取付けている。
【００７１】
要するに、水流入孔１３は、横孔２０、輪溝１８、開口部４９、環状溝４８を介して水出口３０に連通し、湯流入孔１４は、横孔２１、輪溝１９を介して湯出口３１に連通するように構成したものである。なお、図１４〜図１６において前図と同一の部分には同一符号を付して、その詳しい説明を省略するが、図１４〜図１６に示すこの実施例においてはハブ１２の上部外周とハブリング４７の内周とをシールすべく、ハブ１２の上部に形成したＯリング溝にはシール部材としてのＯリング５１，５１を嵌着している。
【００７２】
このように、図１４〜図１６で示した実施例の湯水混合栓用分岐水栓１０は、水、湯および湯水の流通孔１３，１４，１５を独立して軸方向に貫通形成した本体１１を備えてなる湯水混合栓用分岐水栓１０であって、上記本体１１の外周にハブ１２を回転自在に外嵌し、上記本体１１の外周に２つの輪溝１８，１９を離間形成し、一方の輪溝１８を横孔２０を介して水流入孔１３に連通させると共に、他方の輪溝１９を横孔２１を介して湯流入孔１４に連通させ、一方の輪溝１８と対向するようにハブ１２外周にはハブリング４７を回転自在に外嵌し、一方の輪溝１８に連通するハブ１２の開口部４９と、ハブリング４７の水出口３０と、これら両者４９，３０間に形成された環状溝４８とを介して水を取出し、他方の輪溝１９と連通するハブ１２の開口部（湯出口３１参照）から湯を取出すように構成したものである。
【００７３】
この構成によれば、水流入孔１３、横孔２０、一方の輪溝１８、ハブ１２の開口部４９、環状溝４８を介してハブリング４７の水出口３０から水を取出すことができ、また湯流入孔１４、横孔２１、他方の輪溝１５を介してハブ１２の開口部（湯出口３１参照）から湯を取出すことができる。つまり、湯と水との双方を同時に取出すことができる。
【００７４】
さらにハブリング４７はハブ１２の外周に対して回転自在であり、かつ、ハブ１２は本体１１外周に対して回転自在であるうえ、これらハブリング４７およびハブ１２を相対回転させても湯側の連通構造および水側の連通構造を維持することができるので、湯および水の供給方向の変更、並びに、これら両者（湯供給方向と水供給方向）の相対的な供給角度の変更が可能となり、食器洗い機や浄水器などの水使用機器のレイアウトの自由度がさらに向上する。
【００７５】
また、従来のようなハブのオーバラップ構造が不要となり、加工が容易で量産性の向上を図ることができると共に、分岐水栓１０の外径の縮小化などの該分岐水栓１０の小型コンパクト化も可能となる。加えて、ロー付けも不要となるので、ロー付け時の熱影響による変形を阻止することができる。
【００７６】
図１７は湯水混合栓用分岐水栓のさらに他の実施例を示すものである。但し、この実施例においても本体１１は図１６と同一の構造に形成されている。
【００７７】
図１７に示すこの実施例では、本体１１の外周に上下非分割構造のハブ１２を回転自在に外嵌し、本体１１側の上下２つの輪溝１８，１９と対応するように上記ハブ１２の外周上下には上側のハブリング４７と下側のハブリング５２とをそれぞれ回転自在に外嵌している。
【００７８】
また上側のハブリング４７の内周には環状溝５３を形成し、この環状溝５３と本体１１側の輪溝１８とをハブ１２に形成された開口部４９で連通させている。ここで、上述の環状溝５３は輪溝１８と対向してその外周側に位置するものである。
【００７９】
さらに上側のハブリング４７には水出口３０を形成し、この水出口３０に連続するネジ孔５０には、ブッシュ３３を介して袋ナット３４を回転自在に取付けている。
【００８０】
同様に、下側のハブリング５２の内周には環状溝５４を形成し、この環状溝５４と本体１１側の輪溝１９とをハブ１２に形成された開口部５５で連通させている。ここで、上述の環状溝５４は輪溝１９と対向してその外周側に位置するものである。
【００８１】
また下側のハブリング５２には湯出口３１を形成し、この湯出口３１に連続するネジ孔５６には、ブッシュ３６を介して袋ナット３７を回転自在に取付けている。
【００８２】
要するに、水流入孔１３（図１６参照）は、横孔２０、輪溝１８、開口部４９、環状溝５３を介して水出口３０に連通し、湯流入孔１４（図１６参照）は、横孔２１、輪溝１９、開口部５５、環状溝５４を介して湯出口３１に連通するように構成したものである。なお、図１７において前図と同一の部分には同一符号を付して、その詳しい説明を省略するが、図１７に示すこの実施例においては、ハブ１２の下部外周と下側のハブリング５２の内周とをシールすべく、ハブ１２の下部外周に形成したＯリング溝にはシール部材としてのＯリング５７，５７を嵌着している。
【００８３】
このように、図１７で示した実施例の湯水混合栓用分岐水栓１０は、水、湯および湯水の流通孔１３，１４，１５を独立して軸方向に貫通形成した本体１１を備えてなる湯水混合栓用分岐水栓１０であって、上記本体１１の外周にハブ１２を回転自在に外嵌し、上記本体１１の外周に２つの輪溝１８，１９を離間形成し、一方の輪溝１８を横孔２０を介して水流入孔１３に連通させると共に、他方の輪溝１９を横孔２１を介して湯流入孔１４に連通させ、一方の輪溝１８および他方の輪溝１９とそれぞれ別々に対向するようハブ１２外周には２つのハブリング４７，５２を回転自在に外嵌し、一方の輪溝１８に連通するハブ１２の開口部４９と、ハブリング４７の水出口３０と、これら両者４９，３０間に形成された環状溝５２とを介して水を取出し、他方の輪溝１９に連通するハブ１２の開口部５５と、ハブリング５２の湯出口３１と、これら両者５５，３１間に形成された環状溝５４とを介して湯を取出すように構成したものである。
【００８４】
この構成によれば、水流入孔１３、横孔２０、一方の輪溝１８、ハブ１２の開口部４９、環状溝５３を介してハブリング４７の水出口３０から水を取出すことができ、また湯流入孔１４、横孔２１、他方の輪溝１９、ハブ１２の開口部５５、環状溝５４を介してハブリング５２の湯出口３１から湯を取出すことができる。
【００８５】
さらに２つのハブリング４７，５２を備え、これらの各ハブリング４７，５２をそれぞれ別々に約３６０度の範囲で任意に回転操作することができ、この回転時にあっても湯側の連通構造および水側の連通構造を維持することができるので、湯および水の供給方向の変更、並びに、これら両者（湯供給方向と水供給方向）の相対的な供給角度の変更が自在となり、食器洗い機や浄水器などの水使用機器のレイアウトの自由度がより一層向上する。
【００８６】
また、従来のようなハブのオーバラップ構造が不要となり、加工が容易で量産性の向上を図ることができると共に、分岐水栓１０の外径の縮小化など該分岐水栓１０の小型コンパクト化も可能となる。加えて、ロー付けも不要となるので、ロー付け時の熱影響による変形を阻止することができる。
【００８７】
この発明の構成と、上述の実施例との対応において、  
この発明の水流通孔は、実施例の水流入孔１３に対応し、  
以下同様に、  
湯流通孔は、湯流入孔１４に対応し、  
分岐栓本体は、本体１１に対応するも、  
この発明は、上述の実施例の構成のみに限定されるものではない。
例えば、本体１１の湯側、水側の横孔の位置は、湯側の横孔と水側の横孔との何れが上部に形成されてもよい。
【図面の簡単な説明】
【００８８】
【図１】本発明の湯水混合栓分岐水栓を示す使用状態図。
【図２】分岐水栓の平面図。
【図３】図２のＡ−Ａ線矢視断面図。
【図４】図２のＢ−Ｂ線に沿う本体の断面図。
【図５】図３のＣ−Ｃ線に沿うハブの断面図。
【図６】分岐水栓の他の実施例を示す断面図。
【図７】図６のＤ−Ｄ線に沿うハブの断面図。
【図８】分岐水栓のさらに他の実施例を示す平面図。
【図９】図８のＥ−Ｅ線矢視断面図。
【図１０】図８のＦ−Ｆ線に沿う本体の断面図。
【図１１】分岐水栓のさらに他の実施例を示す平面図。
【図１２】図１１のＧ−Ｇ線矢視断面図。
【図１３】図１１のＨ−Ｈ線に沿う本体の断面図。
【図１４】分岐水栓のさらに他の実施例を示す平面図。
【図１５】図１４のＪ−Ｊ線矢視断面図。
【図１６】図１４のＫ−Ｋ線に沿う本体の断面図。
【図１７】分岐水栓のさらに他の実施例を示す断面図。
【符号の説明】
【００８９】
１０…分岐水栓
１１…本体（分岐栓本体）
１２…ハブ
１３…水流入孔（流通孔）
１４…湯流入孔（流通孔）
１５…湯水流出孔（流通孔）
１８，１９…輪溝
２０，２１…横孔
２７，２８…開口部
２９…ハブリング
３０…水出口
３１…湯出口
４０，４１…輪溝
４２，４３…連通部
４４，４５…輪溝
４７…ハブリング
４８…環状溝
４９…開口部
５２…ハウジング
５３，５４…環状溝
５５…開口部
【図１】
2006077452.tif 000003
【図２】
2006077452.tif 000004
【図３】
2006077452.tif 000005
【図４】
2006077452.tif 000006
【図５】
2006077452.tif 000007
【図６】
2006077452.tif 000008
【図７】
2006077452.tif 000009
【図８】
2006077452.tif 000010
【図９】
2006077452.tif 000011
【図１０】
2006077452.tif 000012
【図１１】
2006077452.tif 000013
【図１２】
2006077452.tif 000014
【図１３】
2006077452.tif 000015
【図１４】
2006077452.tif 000016
【図１５】
2006077452.tif 000017
【図１６】
2006077452.tif 000018
【図１７】
2006077452.tif 000019